(57)【特許請求の範囲】
【請求項１】
長手方向の断面がくさび状の固定金具と、
該固定金具を差し込み可能な受入口を対向した二つの側面板で形成した係止部と該係止部の端部に台座部とを設けてなる受け金具とを有し、
少なくとも一対の外板のうち、一方の外板に設けた連結用の連結口に、前記受け金具の係止部を挿入して取り付けた後、他方の外板に設けた連結用の連結口を前記係止部に挿入し、前記連結口から突出した前記受入口に、前記固定金具を差し込んで外板同士を連結する穀物乾燥機の外板連結金具において、
前記受け金具の係止部は、前記受入口が外側に向けて拡がるように、前記側面板の距離が拡大する方向に働く保持力を持ち、該保持力によって前記係止部が前記連結口の開口縁に押し当てられ前記連結口に取り付け可能であることを特徴とする穀物乾燥機の外板連結金具。
【請求項２】
長手方向の断面がくさび状の固定金具と、
該固定金具を差し込み可能な受入口を対向した二つの側面板で形成した係止部と該係止部の端部に台座部とを設けてなる受け金具とを有し、
少なくとも一対の外板のうち、一方の外板に設けた連結用の連結口に、前記受け金具の係止部を挿入して取り付けた後、他方の外板に設けた連結用の連結口を前記係止部に挿入し、前記連結口から突出した前記受入口に、前記固定金具を差し込んで外板同士を連結する穀物乾燥機の外板連結金具において、
前記受け金具の対向する二つの側面板の外側の面の少なくとも一方に、前記台座部よりも上方の位置に突起を設け、前記一方の外板に受け金具を取り付けた時点で、前記固定金具を前記受け金具に差し込む方向に対して交差する方向の前記連結口の幅よりも、前記突起を含む前記受け金具の前記方向の幅を大きくすることを特徴とする穀物乾燥機の外板連結金具。
【請求項３】
前記受け金具は、前記係止部の二つの側面板がそれぞれ外側に拡がるように、断面がテーパー状の打ち込み金具を前記係止部に嵌め込んだ状態で前記外板の連結口に打ち込むことによって、該連結口に圧入して取り付けられることを特徴とする請求項１又は２に記載の穀物乾燥機の外板連結金具の取り付け方法。
【発明の詳細な説明】
【技術分野】
【０００１】
本発明は、穀物乾燥機の組み立てにおいて、天板や側壁などの外板を相互に連結する際に使用する外板連結金具とその取り付け方法に関する。
【背景技術】
【０００２】
従来、穀物乾燥機の組み立てにおいて、貯留タンクの側壁等を構成する外板を連結する際に、くさび状の固定金具と該固定金具を受ける受け金具とから構成される外板連結金具が用いられている。この種の外板連結金具としては、例えば、特許文献１には、外板に、前記受け金具が挿入可能な連結口を設け、該連結口を重ね合わせた状態にする。そして、該連結口に前記受け金具の凸状の係止部を当該受け金具の台座部が外板に当接するまで挿入し、次いで、前記固定金具を前記係止部に形成した受入口に差し込み、ハンマ等で打ち込むことで、二枚の外板が固定されるものである。
【先行技術文献】
【特許文献】
【０００３】
【特許文献１】特許第３０２７７０６号公報
【発明の概要】
【発明が解決しようとする課題】
【０００４】
ところで、特許文献１に記載の外板連結金具は、穀物乾燥機の組み立て現場で、作業者が手作業する時、外板の連結口を重ね合わせ、その状態を維持したまま受け金具を挿入する必要があり、特に、大型の穀物乾燥機など、前記連結金具が多数あるので、大変手間となり作業時間が長くなるという問題点があった。
【０００５】
そこで、本発明は上記問題点にかんがみて、外板を連結する作業時間を短縮することが可能な外板連結金具を提供することを技術的課題とする。
【課題を解決するための手段】
【０００６】
上記目的を達成するため、本発明は、長手方向の断面がくさび状の固定金具と、前記固定金具を差し込み可能な受入口を対向する二つの側面板で形成し、下方に台座部を設けた受け金具とを有し、少なくとも一対の外板のうち、一方の外板に設けた連結用の連結口に、前記受け金具の受入口を含む上方部分を挿入して取り付けてから、他方の外板に設けた連結用の連結口に、前記受け金具を挿入し、前記連結口から突出した前記受入口に、前記固定金具を差し込んで前記一対の外板を連結する穀物乾燥機の外板連結金具において、前記受け金具は、前記受入口が外側に向けて拡がるように、前記対向する二つの側面板の距離が拡大する方向に働く保持力を持ち、該保持力によって前記側面板の外側の面を前記連結口の開口縁に押し当てて前記連結口に取り付ける、という技術的手段を講じるものとした。
【０００７】
また、長手方向の断面がくさび状の固定金具と、前記固定金具を差し込み可能な受入口を対向する二つの側面板で形成し、下方に台座部を設けた受け金具とを有し、少なくとも一対の外板のうち、一方の外板に設けた連結用の連結口に、前記受け金具の受入口を含む上方部分を挿入して取り付けてから、他方の外板に設けた連結用の連結口に、前記受け金具を挿入し、前記連結口から突出した前記受入口に、前記固定金具を差し込んで前記一対の外板を連結する穀物乾燥機の外板連結金具において、前記受け金具の対向する二つの側面の外側の面の少なくとも一方に、前記台座部よりも上方の位置に突起を設け、前記一方の外板に受け金具を取り付けた時点で、前記固定金具を前記受け金具に差し込む方向に対して交差する方向の前記連結口の幅よりも、前記突起を含む前記受け金具の前記方向の幅を大きくする、という技術的手段を講じるものとした。
【０００８】
さらに、前記受け金具は、前記係止部の二つの側面板がそれぞれ外側に拡がるように、断面がテーパー状の打ち込み金具を前記係止部に嵌め込んだ状態で、前記外板の連結口に打ち込むことによって、該連結口に圧入して取り付けられることを特徴とする。
【発明の効果】
【０００９】
請求項１に記載の発明によれば、一方の外板に設けた連結用の連結口に、受け金具の受入口を含む上方部分を挿入して取り付けた後、他方の外板に設けた連結口を、前記受け金具に挿入し、次いで、前記連結口から突出した前記受入口に、固定金具を差し込んで一対の外板を連結する穀物乾燥機の外板連結金具において、前記受入口の幅が外側に拡大する方向に働く保持力を前記受け金具に待たせて、該保持力によって前記受け金具の側面板を前記連結口の開口縁に押し当てて前記受け金具を前記連結口に取り付ける構造としたので、一度連結口に取り付けた受け金具がその連結口から外れることはない。このため、一方の外板に受け金具が取り付けられた状態で、他方の外板の連結口を前記受け金具に挿入することで組み立て作業が容易になり、組立時間が短縮でき、作業効率が向上する。
【００１０】
また、請求項２に記載の発明によれば、一方の外板に設けた連結用の連結口に、受け金具の受入口を含む上方部分を挿入して取り付けた後、他方の外板に設けた連結口を、前記受け金具に挿入し、次いで、前記連結口から突出した前記受入口に、固定金具を差し込んで一対の外板を連結する穀物乾燥機の外板連結金具において、前記受け金具の上方に突起を設けることで、固定金具を受け金具に差し込む方向に対して交差する方向の連結口の幅よりも前記突起を含む前記受け金具の前記方向の幅を大きくするので、一度連結口に取り付けた受け金具がその連結口から外れることはない。このため、一方の外板に受け金具が取り付けられた状態で、他方の外板の連結口を前記受け金具に挿入することで組み立て作業が容易になり、組立時間が短縮でき、作業効率が向上する。
【００１１】
さらに、請求項３に記載の発明によれば、テーパー状の打ち込み金具を受け金具の係止部に嵌め込んだ状態で、前記受け金具を前記外板の連結口に打ち込んで圧入するので、該圧入時に、前記受け金具の対向する二つの側面板の距離が、該側面板の外側の面が連結口の開口縁に接するまで拡大するとともに、それぞれの側面板に前記拡大する方向に働く保持力が生じ、該保持力によって前記側面板が前記開口縁に押し当てられる状態になるので、前記受け金具を前記連結口に容易に取り付けることが可能となる。このため、一方の外板に受け金具が取り付けられた状態で、他方の外板と連結する作業を行うことができるので、作業効率が向上する。また、前記受け金具の側面板の外側の面で、台座部よりも上方の位置に突起を設ける場合は、何らかの原因で前記保持力が弱まるなどして、前記受け金具が連結口から抜け落ちそうになっても、前記突起が連結口の開口縁に引っかかる構造としたので、一度取り付けた受け金具が連結口から落下することはなく、該落下による作業の中断などの無駄な時間が生じることを防ぐことができる。
【図面の簡単な説明】
【００１２】
【図１】図１は、受け金具３０の外板への取り付け方を説明するための図である。
【図２】図２は、一対の外板を連結する方法を説明するための図である。
【図３】図３は、固定金具２の受け金具３０への差し込み方を説明するための図である。
【図４】図４は、外板連結金具１で一対の外板を連結した状態を示す図である。
【図５】図５は、打ち込み金具３の使い方を説明するための図である。
【図６】図６は、打ち込み金具３を使用した状態を示した図である。
【発明を実施するための形態】
【００１３】
以下、本発明の実施の形態を図面に基づいて説明する。
【００１４】
図１〜図４は、本発明の実施の形態を示し、外板連結金具１の構造や外板連結金具１を使用した一対の外板５１及び５２を連結する方法を示したものである。
【００１５】
外板連結金具１は、固定金具２と受け金具３０とからなる。固定金具２は、厚さ３ｍｍ〜１０ｍｍ程度の板材からなり、上面２１には長手方向に傾斜が設けられていて、側面２２がくさび状の形状となっている。受け金具３０は、係止部３１とその下方の台座部３２とからなり、係止部３１には、固定金具２の厚さよりも少し幅の広い受入口３５が形成されているとともに、係止部３１の下部に連続して、係止部３１よりも幅の広い台座部３２が形成されている。受入口３５の形状は逆Ｕ字形であって、受け金具３０は、一枚の板を折り曲げて形成されるものである。
【００１６】
また、外板５１及び５２には、図１や図２に示すように、それぞれ連結片５１ａ及び５１ｂが設けられている。連結片５１ａ及び５１ｂには、受け金具３０の係止部３１が挿入可能であるとともに台座部３２よりも幅が狭い連結口１０がそれぞれ形成されている。
【００１７】
本発明では、一対の外板５１及び５２を外板連結金具１で接続する際に、まず、図１及び図２に示すように、一方の外板５１の連結口１０に受け金具３０の受入口３５を含む上方部分を先行して取り付ける。その際、受入口３５のうち、連結片５１ａから突出している部分に、固定金具２の長手方向の3分の1以上が挿入可能となるように、固定金具２及び受入口３５の高さ方向の寸法を設定することが好ましい。
【００１８】
ここで、外板５１の連結口１０への受け金具３０の取り付け方法を図５及び図６に基づいて説明する。図５及び図６は、図1のＡ−Ａ線部分の外板５１の断面図であって、受け金具３０の取り付け方法を説明するための図である。これらの図に示すように、受け金具３０の取り付けには、打ち込み金具３を使用する。打ち込み金具３は、受け金具３０の受入口３５に嵌め込んで使用するものであり、嵌め込み部５は、符号Ｄで示す断面の幅が上方が狭くなるテーパー状になっている。また、横幅（図２の符号Ｃで示す方向）は、受け金具３０の係止部３１の側面板33よりも少し狭くなっている。この打ち込み金具３を受け金具３０の受入口３５に嵌め込み、その状態で、打ち込み面４をハンマ等でたたいて、外板５１の連結口５０に受入金具３０の係止部３１を圧入する。圧入する際に、打ち込み金具３の嵌め込み部５はテーパー状になっているので、図６に示すように、嵌め込み部５の形状に合わせて、受け金具３０の受入部３５が外側に向けて拡がるとともに、受け金具３０の対向する二つの側面板３３のそれぞれの外側の面が連結口１０の開口縁１１に押し当てられて当接する。そして、受け金具３５には、対向する二つの側面板３３の距離が拡大する方向に働く力（以下、「保持力」という）が生じるので、該保持力によって、受け金具３０は外板５１の連結口１０に固定して取り付けられる。
【００１９】
また、受け金具３０の側面板３３には、一つ以上の突起３４を設けてもよい（図６では２個）。該突起３４を含む符号Ｄで示す方向の受け金具３０の幅の大きさは、連結口１０への取り付け前は連結口の幅（符号Ｄで示す方向）以下とし、連結口１０への取り付け後は前記幅よりも大きくなるようにする。この様にすることで、受け金具３０の前記保持力が弱くなって、側面板３３が開口縁１１に押し当てられなくなっても、突起３４を含む受入金具３０の幅（符号Ｄで示す方向）が、連結口１０の前記幅よりも小さくならないので、取り付け後の受け金具３０が連結口１１から落下することを防ぐことができる。
【００２０】
ところで、突起３４は、係止部３１を形成する板材を受入口３５の内側となる面からポンチなどで打ち込むことで設けることができる。また、突起３４を溶接や接着により前記側面板に設けるようにしてもよい。
【００２１】
受け金具３０の外板５１への取り付け後、図２に示すように、連結する一対の外板の他方の外板５２の連結口１０に、外板５１に取り付け済みの受け金具３０の係止部３１を挿入する。該挿入の際に、前記受け金具３０は外板５１に固定されているので、連結する作業者は、受け金具３０を手で押さえる必要はなく、この作業を容易に行うことができる。なお、外板５２の連結口１０は、外板５１の連結口１０よりも大きくすることで、前記挿入が行いやすくなる。
【００２２】
受け金具３０の外板５２の連結口１０への挿入後、図３及び図４に示すように、固定金具２を高さ方向の寸法が小さい方から受入口３５へ差し込み、ハンマ等を用いて固定金具２を強く打ち込んで、受け金具３０の台座部３２と固定金具２とで連結片５１ａ及び５２ａを挟み付けて、二枚の外板５１及び５２を連結する。
【００２３】
このように、本発明によれば、外板５１及び５２への加工および外板連結金具１（固定金具２及び受け金具３０）の取付作業のいずれにおいても、特別な道具や技能を必要とすることなく、極めて簡単に外板５１及び５２を連結することができる。
【００２４】
また、外板連結金具１（固定金具２及び受け金具３０）を取り外す際には、固定金具２を、取り付けたときとは逆の方向にハンマ等で打ち付けて、固定金具２を受入口３５から外し、その後受け金具３０を連結口１０から抜き取ることによって、容易に外すことができる。
【００２５】
なお、固定金具２と受入口３５との摩擦抵抗を大きくするために、固定金具２の上面２１に、例えば硬質の合成ゴム等のような摩擦抵抗が大きい材質を貼り付けてもよい。この場合、若干弾力性のある素材を貼り付けると、摩擦抵抗が大きくなって自然に抜けにくくなると同時に、取り付けや取り外し時には大きな力を必要とせずに打ち込むことができる。
【００２６】
しかも、本発明の外板連結金具１は、構造が単純であるとともに、外板の連結片に係止部３１が挿入可能な連結口を開けるだけで使用できる。
【００２７】
ところで、受け金具３０の受入口３５の形状は、逆Ｕ字形に限定されるわけではなく、例えばＵ字形として、上方から外板５１及び５２のそれぞれの連結口に挿入してもよい。また、矩形状等のその他の形状であってもよい。
【００２８】
本発明は、上記実施の形態に限るものでなく、発明の範囲を逸脱しない限りにおいてその構成を適宜変更できることはいうまでもない。  
【産業上の利用可能性】
【００２９】
本発明は、穀物乾燥機に限定されることはなく、板等の一対の連結対象物の連結に使用することができるものである。
【符号の説明】
【００３０】
１  外板連結金具２  固定金具３  打ち込み金具１０  連結口１１  開口縁２１  上面２２  側面３０  受け金具３１  係止部３２  台座部３３  側面板３４  突起３５  受入口５１  外板５１ａ  連結片５２  外板５２ａ  連結片           
【図１】
0006519744.tif 000002
【図２】
0006519744.tif 000003
【図３】
0006519744.tif 000004
【図４】
0006519744.tif 000005
【図５】
0006519744.tif 000006
【図６】
0006519744.tif 000007